(57)【特許請求の範囲】
【請求項１】
複数の相の巻線が軸線周りに略円環状に配置されてなる固定子と、該固定子の軸線方向外方に該軸線と交差する方向に延びるように配置され、上記巻線に対する通電を制御するためのスイッチング素子を有する複数の半導体チップが実装された基板と、を備えたモータであって、
上記半導体チップは、上記固定子の軸線方向から見て、少なくとも一部が、該半導体チップ内のスイッチング素子のスイッチング動作時に通電しない相の巻線及び該巻線と隣り合う巻線との間に形成される間隙のうち、少なくとも一方と重なるように、上記基板上に配置されていることを特徴とするモータ。
【請求項２】
請求項１において、
上記半導体チップは、上記固定子の軸線方向から見て上記間隙と重なるように、上記基板上に配置されていることを特徴とするモータ。
【請求項３】
請求項１または２において、
上記基板の上記固定子側の面上には、該固定子に対して回転する回転子の回転位置を検出するための回転位置検出手段が設けられていて、
上記半導体チップも上記基板の固定子側の面上に実装されていることを特徴とするモータ。
【請求項４】
請求項１から３のいずれか一つにおいて、
上記半導体チップは、上記固定子の巻線に対して電流上流側に位置する上流側スイッチング素子と、該巻線に対して電流下流側に位置する下流側スイッチング素子とを備えていることを特徴とするモータ。
【請求項５】
請求項１から４のいずれか一つにおいて、
上記半導体チップと上記固定子の軸線方向の一方の端部との間に形成される間隙が、樹脂によって封止されていることを特徴とするモータ。
【請求項６】
請求項１から５のいずれか一つにおいて、
上記固定子は、３相の巻線を備えていて、
上記スイッチング素子は、スイッチング動作によって上記各相の巻線に通電するように構成されていることを特徴とするモータ。
【発明の詳細な説明】
【技術分野】
【０００１】
本発明は、複数の相の巻線への通電をスイッチング素子によって制御するモータに関し、特に、該スイッチング素子の温度対策の技術分野に係るものである。
【背景技術】
【０００２】
従来より、様々な装置の駆動源としてモータが用いられている。一般的な構成のモータは、複数の相の巻線を有する略円筒状の固定子と、回転可能に軸支された軸部に固定子の内方に位置するように磁石が設けられていて、該固定子に対して回転可能に構成された回転子と、を備えている。このようなモータでは、スイッチング素子のスイッチング動作によって上記固定子の複数の相の巻線に対して順に通電し、上記固定子内に回転磁界を形成することにより、上記磁石を備えた回転子を回転駆動させている。
【０００３】
また、上述のような構成を有するモータでは、例えば特許文献１に開示されるとおり、略円筒状の固定子の軸線方向外方に該軸線と交差する方向に延びるように、上記スイッチング素子を有する半導体チップが実装された基板が配置されている。これにより、上記基板を固定子に対してコンパクトに配置することができ、モータ全体をコンパクトな構成にすることができる。
【特許文献１】特開２００７−２９５７３３号公報
【発明の開示】
【発明が解決しようとする課題】
【０００４】
ところで、上述のように、固定子の軸線方向外方に該軸線と交差する方向に延びるように基板を配置する場合、モータのコンパクト化は図れるものの、該基板上に実装される半導体チップと固定子の巻線との距離が近くなり、該巻線に通電した際に発生する熱が上記半導体チップに伝わってしまう。
【０００５】
そうすると、上記半導体チップでは、スイッチング素子のスイッチング動作によって温度が上昇するだけでなく、上記固定子の巻線で発生した熱によってさらに温度上昇することになる。そのため、上記スイッチング素子を適切な動作温度に保つためには、該スイッチング素子のスイッチング動作を制限する必要が生じるが、この場合には、モータの出力も制限されることになる。
【０００６】
本発明は、斯かる点に鑑みてなされたものであり、その目的とするところは、複数の相の巻線が軸線周りに略円環状に配置されてなる固定子の軸線方向外方に、該軸線と交差する方向に延びるように、スイッチング素子を有する半導体チップが実装された基板が配置されるモータにおいて、固定子の巻線で発生する熱によってスイッチング素子のスイッチング動作が制限されないような構成を得ることにある。
【課題を解決するための手段】
【０００７】
上記目的を達成するために、本発明に係るモータでは、スイッチング素子を有する半導体チップを、該スイッチング素子のスイッチング動作時に巻線の発熱によって温度があまり高くならないような位置に配置することで、該スイッチング素子が巻線の発熱の影響をあまり受けないようにした。
【０００８】
具体的には、第１の発明は、複数の相の巻線が軸線周りに略円環状に配置されてなる固定子と、該固定子の軸線方向外方に該軸線と交差する方向に延びるように配置され、上記巻線に対する通電を制御するためのスイッチング素子を有する複数の半導体チップが実装された基板と、を備えたモータを対象とする。
【０００９】
そして、上記半導体チップは、上記固定子の軸線方向から見て、少なくとも一部が、該半導体チップ内のスイッチング素子のスイッチング動作時に通電しない相の巻線及び該巻線と隣り合う巻線との間に形成される間隙のうち、少なくとも一方と重なるように、上記基板上に配置されているものとする。
【００１０】
以上の構成により、半導体チップ内のスイッチング素子は、該素子のスイッチング動作時に通電しない相の巻線や、該巻線と隣り合う巻線との間に形成される間隙の近くに配置されるため、スイッチング動作しているスイッチング素子を、スイッチング動作時に発熱する巻線からできるだけ遠ざけることができる。これにより、上記スイッチング素子自身がスイッチング動作しているときに、該スイッチング素子に巻線の熱が伝わるのを極力、防止することができる。したがって、上記スイッチング素子が、巻線に通電した際に発生する熱によって高温になるのを防止することができ、該スイッチング素子のスイッチング動作が上記巻線で発生した熱によって制限されるのを防止できる。
【００１１】
上述の構成において、上記半導体チップは、上記固定子の軸線方向から見て上記間隙と重なるように、上記基板上に配置されているものとする（第２の発明）。ここで、固定子の巻線は、鉄心にコイルを捲回してなるため、該固定子の軸線方向端部において、隣り合う巻線間には隙間が形成される。そのため、上記固定子の軸線方向から見て、上記隣り合う巻線同士の間隙と重なるように半導体チップを位置付けることで、半導体チップが実装された基板を固定子により近接して配置することが可能となり、モータの小型化を図れる。なお、このように、固定子に対して基板を近接して配置しても、上述のとおり、該基板上の半導体チップは、該固定子の軸線方向から見て、スイッチング素子のスイッチング動作時に通電しない相の巻線と隣り合う巻線との間に形成される間隙と重なるように位置付けられるため、該スイッチング素子が巻線の熱の影響を受けるのを極力、防止することができる。
【００１２】
また、上記基板の上記固定子側の面上には、該固定子に対して回転する回転子の回転位置を検出するための回転位置検出手段が設けられていて、上記半導体チップも上記基板の固定子側の面上に実装されているのが好ましい（第３の発明）。
【００１３】
このように、基板の一方の面上に回転子の回転位置検出手段を設けるとともに、上記半導体チップも実装することで、片面実装の基板を用いることができるため、両面実装の基板を用いる場合よりもコスト低減を図れる。しかも、上記回転位置検出手段や半導体チップを上記基板の固定子側の面上に設けることで、該回転位置検出手段や半導体チップなどの基板上の突出部分を上記固定子の巻線同士の間隙内に位置付けることができ、モータのコンパクト化を図ることも可能になる。なお、上述のように片面実装する場合には、基板上の半導体チップと固定子の巻線との間隔が近くなって、該半導体チップに巻線で発生した熱が伝わりやすくなるが、上述の第１、第２の各発明のような構成を適用することで、巻線から半導体チップへの伝熱を極力、抑えることができ、スイッチング素子のスイッチング動作が巻線の熱の影響によって制限されるのを防止することができる。
【００１４】
また、上記半導体チップは、上記固定子の巻線に対して電流上流側に位置する上流側スイッチング素子と、該巻線に対して電流下流側に位置する下流側スイッチング素子とを備えていてもよい（第４の発明）。
【００１５】
このように、一つの半導体チップに２つのスイッチング素子が含まれている場合でも、上述の第１の発明のように半導体チップを配置することで、スイッチング素子が巻線で発生した熱の影響を受けるのを極力、防止できる。
【００１６】
また、上記半導体チップと上記固定子の軸線方向の一方の端部との間に形成される間隙が、樹脂によって封止されているのが好ましい（第５の発明）。このように、半導体チップと固定子の軸線方向の一方の端部との間に形成される間隙が樹脂によって封止された構成では、空気よりも熱伝導率の高い樹脂によって、固定子の巻線で発生した熱がスイッチング素子に伝わりやすい。したがって、上述のような構成において、上記各発明の構成を適用することで、巻線で発生した熱によってスイッチング素子が高温になるのを防止することができ、該スイッチング素子のスイッチング動作が制限されるのを防止することができる。
【００１７】
さらに、上記固定子は、３相の巻線を備えていて、上記スイッチング素子は、スイッチング動作によって上記各相の巻線に通電するように構成されているのが好ましい（第６の発明）。このように３相の巻線を備えた固定子では、該３相の巻線のうち２相の巻線にのみ電流が流れて、通電しない巻線が１相、存在するため、この１相の巻線の周りに、他の２相の巻線に通電させる際にスイッチング動作するスイッチング素子の半導体チップを配置することで、３相の巻線を有する一般的な構成のモータにおいても、スイッチング素子に巻線で発生する熱が伝わるのを極力、防止することができる。
【発明の効果】
【００１８】
以上より、本発明に係るモータによれば、スイッチング素子を有する半導体チップは、固定子の軸線方向から見て、少なくともその一部が該スイッチング素子のスイッチング動作時に通電しない相の巻線及び該巻線と隣り合う巻線との間隙のうち少なくとも一方と重なるように、基板上に配置されるため、上記半導体チップが上記スイッチング動作時に通電した巻線で発生する熱の影響を受けるのを極力防止することができ、これにより、スイッチング素子のスイッチング動作が制限されてモータ出力が抑えられるのを防止できる。
【００１９】
また、第２の発明によれば、上記半導体チップは、上記固定子の軸線方向から見て上記間隙に重なるように基板上に配置されるため、該固定子に対して半導体チップの実装された基板をより近くに配置することができ、モータのコンパクト化を図れる。
【００２０】
また、第３の発明によれば、基板の固定子側の面に、上記半導体チップ及び回転子の回転位置を検出する回転位置検出手段が設けられている構成において、上記各発明の構成を適用することにより、片面実装の低コストな構成においても、巻線の発熱によってスイッチング素子のスイッチング動作が制限されるのを防止できる。また、第４の発明のように、上記半導体チップが上流側スイッチング素子と下流側スイッチング素子とを備えている構成においても、上記各発明の構成を適用することで、巻線の発熱によりスイッチング素子のスイッチング動作が制限されるのを防止できる。
【００２１】
また、第５の発明によれば、上記半導体チップと上記固定子の軸線方向の一方の端部との間に形成される間隙に樹脂を充填した、熱の伝わりやすい構成においても、上記各発明の構成を適用することで、上記半導体チップの温度上昇を防止することができる。したがって、上述のような構成でも、上記固定子の巻線で発生する熱によってスイッチング素子のスイッチング動作が制限されるのを防止することができる。
【００２２】
さらに、第６の発明によれば、３相の巻線を有するモータの場合には、通電しない巻線が１相、存在するため、この１相の巻線の周辺に他の２相の巻線に通電させるためのスイッチング素子を配置することで、該巻線の熱によってスイッチング素子のスイッチング動作が制限されるのを防止できる。
【発明を実施するための最良の形態】
【００２３】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２４】
《実施形態１》
−全体構成−
本発明の実施形態１について以下で説明する。図１及び図２に示すように、本実施形態に係るモータ１は、制御回路３０によって所定のタイミングで固定子２の巻線１３に電力を供給することにより、該固定子２に対して回転子３を回転駆動させる、いわゆるブラシレスＤＣモータである。具体的には、上記モータ１は、複数の巻線１３，１３，…が軸線Ｐ周りに略円環状に配置されてなる略円筒状の固定子２と、該固定子２の内方に回転可能に配置される回転子３と、上記固定子２の複数の巻線１３，１３，…への通電を制御するための制御回路３０を有する基板４と、これらの固定子２、回転子３及び基板４などの構成部品を覆うケーシング５とを備えている。すなわち、上記モータ１は、上記制御回路３０によって上記固定子２の複数の巻線１３，１３，…への通電を制御することによって、該固定子２内に回転磁界を形成し、これにより、上記回転子３を回転駆動するように構成されている。
【００２５】
上記固定子２は、複数の鋼板を積層してなる固定子鉄心１１と、該固定子鉄心１１上に巻回される複数のコイル１２，１２，…とを備えている。上記固定子鉄心１１を構成する各鋼板は、リング状のコアバック部と該コアバック部から内方に向かって突出する複数のティース部とを有していて、それらを積層することによって、固定子鉄心１１のコアバック部１１ａ及びティース部１１ｂが構成されている。すなわち、上記ティース部１１ｂは、上記固定子鉄心１１の内方に上記回転子３を収納可能な空間が形成されるように、上記コアバック部１１ａから固定子２内方に向かって突出している。上記コイル１２は、上記複数のティース部１１ｂ，１１ｂ，…上にそれぞれ巻回されて、各巻線１３を構成している。すなわち、複数の巻線１３，１３，…が軸線Ｐの周りに略環状に配置されることにより、上記固定子２が構成されている。なお、上記各巻線１３は、Ｕ相、Ｖ相及びＷ相の３相の巻線を構成するように、互いに接続されている。
【００２６】
なお、上記図１に示すように、上記ティース部１１ｂ上のコイル１２が巻回される部分には、固定子２とコイル１２との間を電気的に絶縁するための絶縁部１４が形成されている。この絶縁部１４は、絶縁性の樹脂からなり、上記ティース部１１ｂの表面を覆う絶縁層１４ａと、該ティース部１１ｂの先端部及び基端部の位置にそれぞれ立設された側壁１４ｂ，１４ｂと、上記基板４を支持するための支持部１４ｃとを備えている。この側壁１４ｂ，１４ｂを設けることにより、上記ティース部１１ｂに巻回されているコイル１２の垂れ線が該ティース部１１ｂ外へはみ出すのを防止することができる。
【００２７】
上記回転子３は、棒状に形成された軸部２１と、該軸部２１上に一体的に回転するように設けられた磁石部２２とを備えている。上記軸部２１は、その両端部でベアリング６，７によって回転可能に軸支されているとともに、一方の端部がケーシング５外へ突出していて、回転子３の回転を外部へ出力可能に構成されている。上記磁石部２２は、上記固定子２内に回転子３を挿通させた状態で、該固定子２の内方に位置するように上記軸部２１上に設けられている。また、上記磁石部２２は、上記固定子２内で発生する回転磁界によって回転子３が回転するように複数の磁石が配置されてなる。ここで、上記ベアリング６，７は、後述するように、それぞれ、上記ケーシング５に固定されたブラケット４１，４２によって保持されているため、上記固定子２の回転磁界によって上記磁石部２２に回転駆動力が発生した場合には、回転子３をケーシング５に対して回転させることができる。
【００２８】
上記基板４は、図５に破線で示すように、略円盤状の樹脂部材の中央部分に回転子３が挿通するための挿通孔が設けられて、略ドーナツ状に形成されたものである。また、上記基板４は、上記図１に示すように、上記固定子２の固定子鉄心１１上に形成された支持部１４ｃによって支持されて、上記固定子２の軸線方向の一方の端部を覆うように配設されている。上記基板４には、上記回転子３を固定子２内で回転させるように、該固定子２の各巻線１３に所定のタイミングで通電する制御回路３０と、上記回転子３の回転位置を検出するための回転位置検出回路２５とが設けられている。上記基板４の構成については、詳しくは後述する。
【００２９】
上記固定子２及び基板４は、上記ケーシング５内で樹脂８によって封止されている。この樹脂８は、例えば熱硬化性樹脂からなり、上述の固定子２及び基板４だけでなく、上記ブラケット４１，４２も含めて、モータ１内の構成部品を一体化している。すなわち、この実施形態に係るモータ１は、固定子２の表面及び近傍の隙間のほぼ全体が樹脂８によって覆われた、いわゆるモールドモータである。なお、上記樹脂８で各構成部品を封止する場合には、金型内に構成部品を収納した状態で、該金型内に溶融した樹脂８を注入して固化すればよい。
【００３０】
上記ケーシング５は、略有底円筒状の樹脂部材であり、上記固定子２などの構成部品を覆うように設けられている。このケーシング５は、上記樹脂８によって固定子２や基板４等を封止した後、その外側に形成される。
【００３１】
上記ケーシング５の底部（図１では上面）の中央付近には、ケーシング５の外方に膨出するように膨出部５ｂが形成されているとともに、この膨出部５ｂの中央部分には上記回転子３の軸部２１が挿通可能な穴部５ａが形成されている。上記膨出部５ｂのケーシング内方には、金属製のブラケット４１が配置されていて、該ブラケット４１のケーシング内方には、上記軸部２１の一端側を回転可能に支持するための上記ベアリング６が配設されている。
【００３２】
上記略有底円筒状のケーシング５の開口側は、金属製のブラケット４２によって覆われている。このブラケット４２は、平面視で略円形状の部材であり、その外周端部で上記ケーシング５の開口部分の周縁部に固定されている。また、上記ブラケット４２には、その中央部分がケーシング外方に向かって膨出する膨出部４２ａが形成されていて、この膨出部４２ａのケーシング内方には、上記回転子３の軸部２１の他端側を回転可能に支持するためのベアリング７が配設されている。
【００３３】
また、上記ケーシング５の側面には、一端側が上記基板４に接続された、接続端子としてのブッシング４３がケーシング外方に突出するように、側面穴部５ｃが形成されている。
【００３４】
−基板−
上述のように、上記基板４上には、制御回路３０及び回転位置検出回路２５（回転位置検出手段）が設けられている。これらの制御回路３０及び回転位置検出回路２５は、半導体素子等の各種素子によって構成されており、これらの素子が上記基板４の表面（固定子２側の面）に実装されている。以下で、上記制御回路３０及び回転位置検出回路２５の構成について説明する。
【００３５】
上記制御回路３０は、図２に示すように、上記固定子２（図中ではＭ）の３相（Ｕ相、Ｖ相、Ｗ相）の巻線に対する通電のＯＮ／ＯＦＦを行う複数のスイッチング素子３２，３２，…（図の例では６個のスイッチング素子）が三相ブリッジ結線されたスイッチング回路３１と、該各スイッチング素子３２の駆動を制御するための制御部３５とを備えている。
【００３６】
上記スイッチング回路３１は、２つのスイッチング素子３２，３２を直列に接続してなる３つのスイッチングレグ３３ａ，３３ｂ，３３ｃが、互いに並列に接続されたもので、各スイッチングレグ３３ａ，３３ｂ，３３ｃにおいて、スイッチング素子３２，３２間の中点が上記固定子２の各相の巻線に接続されている。なお、本実施形態では、上記スイッチングレグ毎に半導体チップｕ，ｖ，ｗが構成されているものとする（図中の破線）。また、以下の説明において、上記各スイッチングレグ３３ａ，３３ｂ，３３ｃで上記固定子２の上流側に位置するスイッチング素子を上流側スイッチング素子、該固定子２の下流側に位置するスイッチング素子を下流側スイッチング素子という。
【００３７】
上記スイッチング回路３１における各スイッチング素子３２のスイッチング動作のタイムチャートを図３に示す。この図３に示すように、Ｕ相、Ｖ相、Ｗ相の巻線１３に通電させる上流側スイッチング素子（図中では、ＵＨ、ＶＨ、ＷＨ）は、電気角で１２０度ごとに、通電する相が変化するようにスイッチング制御されている。また、下流側スイッチング素子（図中のＵＬ、ＶＬ、ＷＬ）も、電気角で１２０度ごとに、上記上流側スイッチング素子のスイッチング動作によって通電していない相の一つに通電するようにスイッチング制御されている。なお、本実施形態では、上記下流側スイッチング素子において、上記電気角１２０度よりも細かい周期で通電のＯＮ−ＯＦＦを繰り返すチョッピング制御が行われている。
【００３８】
上記スイッチング素子３２のスイッチング動作によって得られる通電パターンを一覧にしたものを図４に示す。この図４に示すように、上記上流側スイッチング素子及び下流側スイッチング素子のうち、オン状態になるスイッチング素子３２に対応する相の巻線１３にのみ電流が流れ、オフ状態のスイッチング素子３２に対応する相の巻線１３には電流は流れない。すなわち、本実施形態のような３相の巻線１３を有し、６個のスイッチング素子３２が三相ブリッジ結線されたモータ１の場合には、必ず１相の巻線１３には電流が流れない状態となる。
【００３９】
上記制御部３５は、上記スイッチング回路３１内の各スイッチング素子３２を、入力される速度指令電圧Ｖｓｐに基づいて駆動制御するように構成されている。具体的には、上記制御部３５は、図２に示すように、上記速度指令電圧Ｖｓｐに基づいてＰＷＭ信号を生成するＰＷＭ制御部３６と、該ＰＷＭ信号と後述する回転位置検出回路２５によって検出された上記回転子３の回転位置信号とに基づいて所定のタイミングで通電信号を生成するタイミング制御部３７と、上記スイッチング回路３１において複数のスイッチング素子３２，３２，…のうち上記固定子２の上流側に位置する上流側スイッチング素子を駆動制御する上アーム駆動回路３８と、上記固定子２の下流側に位置する下流側スイッチング素子を駆動制御する下アーム駆動回路３９とを備えている。
【００４０】
上記ＰＷＭ制御部３６は、上記速度指令電圧Ｖｓｐを三角波と比較して、モータの要求回転数に応じたＰＷＭ信号を生成するように構成されている。詳しくは、上記ＰＷＭ制御部３６は、上記速度指令電圧Ｖｓｐと三角波発振回路から出力される三角波とを比較器によって比較し、その比較結果に基づいてＰＷＭ制御のためのＰＷＭ信号を出力する。
【００４１】
上記タイミング制御部３７は、上記ＰＷＭ制御部３６から出力されたＰＷＭ信号と、上記回転子３の回転位置を検出する回転位置検出回路２５から出力された回転位置信号とに基づいて、上記固定子２の各巻線１３に通電する所定のタイミングを決めるように構成されている。また、上記タイミング制御部３７では、上記所定のタイミングで上記各巻線１３に通電するように通電信号が生成される。
【００４２】
上記上アーム駆動回路３８及び下アーム駆動回路３９は、それぞれ、上記タイミング制御部３７から出力された通電信号に応じて、スイッチング素子３２を駆動するように構成されている。
【００４３】
上記回転位置検出回路２５は、特に図示しないが、電気角１２０度の間隔で配置された３つのセンサ（例えば、ホール素子などからなる磁気センサ）を有していて、上記回転子３の回転位置に応じて該センサから出力される信号を合成して、該回転子３の位置を検出するように構成されている。上記回転位置検出回路２５で検出された回転子３の位置は、回転位置信号として上記制御部３５に送信される。
【００４４】
上述のような制御回路３０及び回転位置検出回路２５を構成する半導体素子等の各種素子は、図６に示すように、上記基板４の固定子２側の面に実装されている。このように、該基板４の片面に各種素子を実装することで、片面実装の基板を用いることができ、両面実装の基板を用いる場合に比べて製造コストの低減を図れる。
【００４５】
しかしながら、上述のように、上記基板４の固定子２側の面に半導体素子等を実装すると、該半導体素子と固定子２の巻線１３との距離が近くなるため、該巻線１３で発生した熱が半導体素子に伝わりやすくなる。そうすると、上記半導体素子では、自身の動作による温度上昇に加えて、上記固定子２の巻線１３で発生する熱によってさらに温度上昇することになる。
【００４６】
特に、本実施形態に係るモータ１は、固定子２が樹脂８によって封止されたモールドモータであるため、巻線１３で発生した熱は、空気に比べて熱伝導率の高い樹脂８によって、半導体素子に伝わりやすくなる。
【００４７】
上記半導体素子の中でも、上記制御回路３０のスイッチング素子３２は、自身のスイッチング動作による発熱以外に上記巻線１３で発生した熱が加わると、その分、スイッチング素子３２の発熱を抑えるためにスイッチング動作を制限する必要があり、モータ１の出力が制限されることになる。
【００４８】
これに対し、本発明では、上記スイッチング素子３２を、固定子２の巻線１３で発生する熱の影響を受けにくいような基板４上の位置に配置することで、スイッチング素子３２の温度上昇をできるだけ抑えるようにした。具体的には、直列に接続された２つのスイッチング素子３２，３２を備えた、上記巻線１３の各相に対応する半導体チップｕ，ｖ，ｗを、図５及び図６に示すように、固定子２の軸線方向から見て、該スイッチング素子３２のスイッチング動作時に通電しない相の巻線１３とその隣りの巻線１３との間に形成される間隙に位置付ける。
【００４９】
例えば、上記図５に示すように、上記固定子２の軸線方向から見て、Ｕ相の巻線１３に通電するスイッチング素子３２を含む半導体チップｕは、Ｖ相の巻線１３とＷ相の巻線１３との間に形成される間隙に配置され、Ｖ相の巻線１３に通電するスイッチング素子３２を含む半導体チップｖは、Ｗ相の巻線１３とＵ相の巻線１３との間に形成される間隙に配置される。さらに、Ｗ相の巻線１３に通電するスイッチング素子３２を含むチップｗは、上記固定子２の軸線方向から見て、Ｕ相の巻線１３とＶ相の巻線１３との間に形成される間隙に配置される。ここで、上記図５において、符号１５は、各巻線と上記スイッチング回路３１の出力側とを接続するための端子部である。
【００５０】
このように、半導体チップｕ，ｖ，ｗを、固定子２の軸線方向から見て、スイッチング素子３２のスイッチング動作時に通電しない相の巻線１３とその隣りの巻線１３との間に形成される間隙に配置することで、該スイッチング素子３２のスイッチング動作時に通電した相の巻線１３で発生した熱が、該スイッチング素子３２に伝わるのを極力、防止することができる。
【００５１】
すなわち、図５（Ａ）に示すように、Ｕ相及びＶ相の巻線１３に通電されているときに、上記半導体チップｕ，ｖは、通電していないＷ相の巻線１３とその隣りの巻線１３との間隙に位置しているため、上記Ｕ相及びＶ相の巻線１３から半導体チップｕ，ｖに熱が伝わるのを極力、防止することができる。また、Ｖ相及びＷ相の巻線１３に通電している場合や、Ｗ相及びＵ相の巻線１３に通電している場合も、それぞれ、図５（Ｂ）、（Ｃ）に示すように、スイッチング動作しているスイッチング素子３２を有する半導体チップに、巻線１３の熱が伝わりにくくなっている。
【００５２】
これにより、上記スイッチング素子３２のスイッチング動作が、上記巻線１３で発生した熱の影響によって制約を受けるのを防止することができ、モータ１の効率の良い運転が可能になる。
【００５３】
特に、上記モータ１は、固定子２が樹脂８によって封止されたモールドモータなので、該固定子２の巻線１３で発生した熱がこもりやすく、上記基板４上の半導体チップｕ，ｖ，ｗに伝わりやすい。したがって、このような構成において、上記半導体チップｕ，ｖ，ｗの配置を上述のような配置にすることで、該半導体チップｕ，ｖ，ｗへの伝熱を確実に抑制することができ、上記モータ１の効率の良い運転が可能となる。
【００５４】
また、上記図６には図示していないが、各巻線１３は、固定子２のティース部１１ｂに巻回されるため、固定子２の軸線方向端部において、巻線１３は固定子鉄心１１の端面よりも凸形状に突出し、巻線１３同士の間には間隙が形成される。したがって、本実施形態のように、固定子２の軸線方向端部を覆うように基板４を配置し、該基板４の固定子側の面上に、巻線１３同士の間隙に位置するように各半導体素子を配置することにより、固定子２に対して半導体素子が実装された基板４をより近接して配置することができ、モータのコンパクト化を図れる。なお、この場合にも、上述のように、スイッチング素子３２を有する半導体チップｕ，ｖ，ｗを、該スイッチング素子３２のスイッチング動作時に通電しない相の巻線１３とその隣りの巻線１３との間隙に配置することで、該スイッチング素子３２が巻線１３の発熱の影響を受けてスイッチング動作が制限されるのを防止できる。
【００５５】
《実施形態２》
実施形態２に係るモータを、図７及び図８に基づいて以下で説明する。この実施形態２に係るモータは、半導体チップの構成が上記実施形態１とは異なるだけなので、同一の構成には同一の符号を付し、以下で異なる部分についてのみ説明する。
【００５６】
具体的には、図７に示すように、制御回路のスイッチング回路５１を構成する６個のスイッチング素子３２が、それぞれ、半導体チップｕＨ，ｕＬ，ｖＨ，ｖＬ，ｗＨ，ｗＬによって構成されている。すなわち、この実施形態では、上記半導体チップの個数が、上記実施形態１の３個に対して、６個である点が異なる。
【００５７】
図８に、６個の半導体チップｕＨ，ｕＬ，ｖＨ，ｖＬ，ｗＨ，ｗＬの基板４（図８中では破線で示す）上の配置を示す。この図８に示すように、各スイッチング素子３２に対応して半導体チップをそれぞれ構成した場合でも、各半導体チップｕＨ，ｕＬ，ｖＨ，ｖＬ，ｗＨ，ｗＬは、固定子２の軸線方向から見て、スイッチング素子３２のスイッチング動作時に通電しない巻線１３とその隣りの巻線１３との間に形成される間隙内に位置するように配置される。
【００５８】
具体的には、上記図８に示すように、固定子２の軸線方向から見て、Ｕ相の巻線１３とＶ相の巻線１３との間隙に、Ｗ相の巻線１３に電流を流すためのスイッチング素子３２，３２を構成する半導体チップｗＨ，ｗＬを配置する。また、固定子２の軸線方向から見て、Ｕ相の巻線１３とＷ相の巻線１３との間隙に、Ｖ相の巻線１３に電流を流すためのスイッチング素子３２，３２を構成する半導体チップｖＨ，ｖＬを配置する。さらに、固定子２の軸線方向から見て、Ｖ相の巻線１３とＷ相の巻線１３との間隙に、Ｕ相の巻線１３に電流を流すためのスイッチング素子３２，３２を構成する半導体チップｕＨ，ｕＬを配置する。
【００５９】
これにより、各半導体チップｕＨ，ｕＬ，ｖＨ，ｖＬ，ｗＨ，ｗＬを、スイッチング素子３２のスイッチング動作時に通電する巻線１３からできるだけ離して、該巻線１３で発生した熱が上記半導体チップｕＨ，ｕＬ，ｖＨ，ｖＬ，ｗＨ，ｗＬに伝わるのを極力、防止することができる。
【００６０】
すなわち、図８（Ａ）に示すように、Ｕ相及びＶ相の巻線１３に通電されているときに、上記半導体チップｕＨ，ｕＬ，ｖＨ，ｖＬは、通電していないＷ相の巻線１３とその隣りの巻線１３との間隙に位置しているため、上記Ｕ相及びＶ相の巻線１３から半導体チップｕＨ，ｕＬ，ｖＨ，ｖＬに熱が伝わるのを極力、防止することができる。また、Ｖ相及びＷ相の巻線１３に通電している場合や、Ｗ相及びＵ相の巻線１３に通電している場合も、それぞれ、図８（Ｂ）、（Ｃ）に示すように、スイッチング動作しているスイッチング素子３２を有する半導体チップに、巻線１３の熱が伝わりにくくなっている。
【００６１】
したがって、各スイッチング素子３２が、巻線１３で発生する熱の影響を受けてスイッチング動作が制限されるのを防止することができ、モータを効率良く運転することができる。
【００６２】
なお、上記実施形態１のように、複数のスイッチング素子３２，３２，…のうち下流側スイッチング素子において、短い周期で通電のＯＮ−ＯＦＦを繰り返すチョッピング制御を行う場合など、複数のスイッチング素子３２，３２，…をそれぞれ異なる制御でスイッチング動作させることが考えられるが、この制御の違いによって各スイッチング素子３２の発熱量が異なる場合には、発熱量の大きいスイッチング素子３２を有する半導体チップを、該スイッチング素子３２のスイッチング動作時に通電する巻線１３からできるだけ離すのが好ましい。これにより、半導体チップごとに発熱量が異なる場合でも、該半導体チップの温度上昇を確実に抑制することができ、巻線１３の温度上昇によってモータの出力が制限されるのを確実に防止できる。
【００６３】
《その他の実施形態》
上記各実施形態については、以下のような構成としてもよい。
【００６４】
上記各実施形態では、基板４上の半導体チップｕ，ｖ，ｗ，ｕＨ，ｕＬ，ｖＨ，ｖＬ，ｗＨ，ｗＬを、固定子２の軸線方向から見て、該半導体チップｕ，ｖ，ｗ，ｕＨ，ｕＬ，ｖＨ，ｖＬ，ｗＨ，ｗＬのスイッチング素子３２のスイッチング動作時に通電しない巻線１３とその隣りの巻線１３との間に形成される間隙に配置しているが、この限りではなく、上記通電しない巻線１３に重なるように配置してもよい。また、上記半導体チップｕ，ｖ，ｗ，ｕＨ，ｕＬ，ｖＨ，ｖＬ，ｗＨ，ｗＬは、図５及び図８に示すような配置に限らず、固定子２の軸線方向から見て、該半導体チップｕ，ｖ，ｗ，ｕＨ，ｕＬ，ｖＨ，ｖＬ，ｗＨ，ｗＬの少なくとも一部が、スイッチング素子３２のスイッチング動作時に通電しない巻線１３及び該巻線１３とその隣りの巻線１３との間隙のうち少なくとも一方と重なる位置であれば、どのように配置されていてもよい。
【００６５】
また、上記各実施形態では、３相の巻線１３によってモータを構成しているが、この限りではなく、２相や４相など、他の相数の巻線によってモータを構成してもよい。
【００６６】
また、上記各実施形態では、基板４を、固定子２側の面に制御回路３０や回転位置検出回路２５が形成される片面実装基板としているが、この限りではなく、両面実装基板であってもよい。さらに、上記各実施形態では、片面実装基板の固定子２側の面に制御回路３０や回転位置検出回路２５を形成しているが、この限りではなく、基板４の固定子２側とは反対側の面に設けるようにしてもよい。
【００６７】
また、上記各実施形態では、モータ１を、固定子２及び基板４の全体が樹脂８によって封止されたモールドモータとしているが、この限りではなく、該固定子２の巻線１３と基板４との間に形成される間隙にのみ樹脂が充填されたモータであってもよい。なお、このように、巻線１３と基板４との間隙に樹脂を充填することで、該巻線１３及び基板４の振動発生を防止することができる。
【００６８】
また、上記各実施形態では、固定子２の軸線方向の一方の端部を覆うように基板４を設けているが、この限りではなく、該基板４を固定子２の端部の一部のみを覆うように設けてもよい。すなわち、上記基板４は、固定子２の軸線方向外方に該軸線と交差する方向に延びるように配置されていれば、どのような大きさや配置であってもよい。
【００６９】
さらに、上記各実施形態では、モータ１は、略円筒状の固定子２の内方に円柱状の回転子３が配置された、いわゆるインナーロータ型のモータであるが、この限りではなく、回転子が固定子の外方を覆うように円筒状に形成された、いわゆるアウターロータ型のモータであってもよい。
【産業上の利用可能性】
【００７０】
以上説明したように、本発明は、複数の相の巻線が軸線周りに略円環状に配置されてなる固定子の軸線方向外方に、該軸線と交差する方向に延びるように、スイッチング素子を含む制御回路の形成された基板が配置されたモータに特に有用である。
【図面の簡単な説明】
【００７１】
【図１】本発明の実施形態１に係るモータの概略構成を示す縦断面図である。
【図２】制御回路の概略構成を示す図である。
【図３】各スイッチング素子のスイッチングパターンを示すタイムチャートである。
【図４】各スイッチング素子のスイッチングパターンと通電相及び非通電相との関係を示す図である。
【図５】固定子の軸線方向から見た場合の固定子の巻線と半導体チップとの位置関係を、（Ａ）Ｕ−Ｖ相通電時、（Ｂ）Ｖ−Ｗ相通電時、（Ｃ）Ｗ−Ｕ相通電時において模式的に示す図である。
【図６】固定子の側方から見た場合の固定子の巻線と半導体チップとの位置関係を模式的に示す図である。
【図７】実施形態２に係るモータのスイッチング回路を示す回路図である。
【図８】実施形態２における半導体チップの配置を示す図５相当図である。
【符号の説明】
【００７２】
１        モータ
２        固定子
３        回転子
４        基板
５        ケーシング
８        樹脂
１１      固定子鉄心
１２      コイル
１３      巻線
２１      軸部
２２      磁石部
２５      回転位置検出回路（回転位置検出手段）
３０、５０      制御回路
３１      スイッチング回路
３２      スイッチング素子
３３      スイッチングレグ
３５      制御部
３６      ＰＷＭ制御部
３７      タイミング制御部
３８      上アーム駆動回路
３９      下アーム駆動回路
ｕ、ｖ、ｗ、ｕＨ、ｕＬ、ｖＨ、ｖＬ、ｗＨ、ｗＬ  半導体チップ
Ｐ        軸線
【図１】
0005204554.tif 000002
【図２】
0005204554.tif 000003
【図３】
0005204554.tif 000004
【図４】
0005204554.tif 000005
【図５】
0005204554.tif 000006
【図６】
0005204554.tif 000007
【図７】
0005204554.tif 000008
【図８】
0005204554.tif 000009